(57)【要約】【課題】本発明は、着用した際にバストの周辺部を寄せ集めるようにカップ部を変形させてバストシルエットを補整することができる衣類を提供することを目的とするものである。【解決手段】衣類は、左右に取り付けられるとともに少なくとも脇側縁部に補強部２ｅが形成された一対のカップ部２と、カップ部２の脇側及び下側に配置された基布部４と、カップ部２の縁部に沿ってバージスラインに対応するように配置されたテープ部３と、伸縮性を有する素材からなるとともにカップ部２の肌側においてカップ部２の中央側縁部とテープ部３の脇側部分との間にカップ部２を横切るように取り付けられた支持部５とを備えており、支持部５は、支持ライン５ａ及び支持ライン５ｂの間でカップ部２と間隔を形成するように張設されている。【選択図】図２
2015098657.tif 000002
【特許請求の範囲】
【請求項１】
左右に取り付けられるとともに少なくとも脇側縁部に補強部が形成された一対のカップ部と、前記カップ部の脇側及び下側に配置された基布部と、前記カップ部の縁部に沿ってバージスラインに対応するように配置されたテープ部と、伸縮性を有する素材からなるとともに前記カップ部の肌側において前記カップ部に取り付けられた支持部とを備え、
前記支持部は、前記カップ部の中央側縁部とトップ位置との間において中央側端部に沿うように間隔を空けて設定された第一支持ラインで前記カップ部に縫着されており、前記カップ部のトップ位置と前記テープ部との間において前記テープ部に沿うように間隔を空けて設定された第二支持ラインで前記カップ部に縫着されており、
前記第二支持ラインは、前記支持部の下縁に沿って前記テープ部まで延設されて前記支持部の下縁が前記カップ部に縫着されており、
前記支持部は、前記第一支持ラインと前記第二支持ラインの間では、前記カップ部との間に間隔を形成するように張設されている衣類。
【請求項２】
前記支持部は、前記カップ部の中央側縁部と前記テープ部の脇側部分との間に取り付けられている請求項１に記載の衣類。
【請求項３】
前記支持部は、前記第二支持ラインと前記テープ部との間の領域において前記第二支持ラインに沿うように間隔を空けて設定された補強ラインで前記カップ部に縫着されている請求項２に記載の衣類。
【請求項４】
前記支持部は、前記第一支持ラインと前記第二支持ラインの間の領域が立体形状に形成されている請求項１から３のいずれかに記載の衣類。
【発明の詳細な説明】
【技術分野】
【０００１】
本発明は、バストを支えるためのカップ部を有するブラジャー等の衣類に関する。
【背景技術】
【０００２】
従来よりバストを支えるためにブラジャー等の衣類が用いられている。こうした衣類では、バストを支えるとともにバストの形状を補整する機能を持たせることで、衣類を着用した際にバスト部分に均整のとれた美しい外形を表出させることができる。バストの補整方法としては、バストを支えるために保形性を有するカップ部によりバストを覆うとともにカップ部の縁部に細幅のワイヤ部材を取り付けて補整することが行われている。こうしたワイヤ部材を用いることで、カップ部の立体的な形状を保持するとともにバストをカップ部内に収容して美しいバストシルエットに補整することができる。また、カップ部には、柔軟性及び伸縮性を有する材料を用いてバストの形状を整えることが提案されている。例えば、特許文献１では、カップ部の肌側に伸縮性を有するサポート部材を備え、サポート部材は、脇側の上縁部が肩ストラップ部材に縫着され、下縁部がカップ部の脇側部分と前中心側部分でカップワイヤ部にそれぞれ縫着され、これらに挟まれた中間部分でカップワイヤ部及びカップ部の双方より遊離するように取り付けることで、確実にバストを持ち上げると共に前中心側に押し寄せることを可能にしたカップ付き女性用衣類が記載されている。また、特許文献２では、カップ部の肌側において下縁部に伸縮性素材を含む保形布が架け渡されて、カップ部の脇側部分と前中心側部分とを互いに引き寄せるようにした衣類が記載されている。
【先行技術文献】
【特許文献】
【０００３】
【特許文献１】特許第４５１０５９４号公報
【特許文献２】特開２０１２−５２２７０号公報
【発明の概要】
【発明が解決しようとする課題】
【０００４】
特許文献１及び２では、カップ部の肌側に取り付けられた伸縮性を有するサポート部材又は保形布によりバストを持ち上げて前中心側に押し寄せるようにしている。この場合、サポート部材及び保形布はカップ部の周縁部にライン状に取り付けているため、カップ部をバストに装着した場合にサポート部材及び保形布がカップ部の周縁部をライン状に引き寄せるようになり、バストシルエットが崩れやすくなって十分な補整効果を得ることができないといった課題がある。
【０００５】
そこで、本発明は、着用した際にバストの周辺部を寄せ集めるようにカップ部を変形させてバストシルエットを補整することができる衣類を提供することを目的とするものである。
【課題を解決するための手段】
【０００６】
本発明に係る衣類は、左右に取り付けられるとともに少なくとも脇側縁部に補強部が形成された一対のカップ部と、前記カップ部の脇側及び下側に配置された基布部と、前記カップ部の縁部に沿ってバージスラインに対応するように配置されたテープ部と、伸縮性を有する素材からなるとともに前記カップ部の肌側において前記カップ部に取り付けられた支持部とを備え、前記支持部は、前記カップ部の中央側縁部とトップ位置との間において中央側端部に沿うように間隔を空けて設定された第一支持ラインで前記カップ部に縫着されており、前記カップ部のトップ位置と前記テープ部との間において前記テープ部に沿うように間隔を空けて設定された第二支持ラインで前記カップ部に縫着されており、前記第二支持ラインは、前記支持部の下縁に沿って前記テープ部まで延設されて前記支持部の下縁が前記カップ部に縫着されており、前記支持部は、前記第一支持ラインと前記第二支持ラインの間では、前記カップ部との間に間隔を形成するように張設されている。さらに、前記支持部は、前記カップ部の中央側縁部と前記テープ部の脇側部分との間に取り付けられている。さらに、前記支持部は、前記第二支持ラインと前記テープ部との間の領域において前記第二支持ラインに沿うように間隔を空けて設定された補強ラインで前記カップ部に縫着されている。さらに、前記支持部は、前記第一支持ラインと前記第二支持ラインの間の領域が立体形状に形成されている。
【発明の効果】
【０００７】
本発明は、上記のような構成を有することで、着用した際にバストの周辺部を寄せ集めるようにカップ部を変形させてバストシルエットを補整することができる。
【図面の簡単な説明】
【０００８】
【図１】本発明に係る実施形態に関するカップ部の表側から見た図である。
【図２】図１に示す実施形態に関するカップ部の裏側から見た図である。
【図３】立体形状に形成した支持部を取り付けたカップ部の裏側から見た図である。
【図４】図２のＡ−Ａ断面図である。
【図５】カップ部を着用した状態を示す断面図である。
【図６】本発明に係る別の実施形態に関するカップ部の表側から見た図である。
【図７】図６に示す実施形態に関するカップ部の裏側から見た図である。
【図８】図６及び図７に示す別の実施形態の変形例に関するカップ部の裏側から見た図である。
【発明を実施するための形態】
【０００９】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１０】
図１は、本発明に係る実施形態に関するカップ部の表側から見た図であり、図２は、カップ部の裏側から見た図である。なお、カップ部の裏側は、着用した場合に肌側となり、カップ部の表側は、着用した場合に肌側と反対側の外側となる。この例では、衣類としてブラジャーを例に説明する。ブラジャー１は、左右一対のカップ部２を備えており、カップ部２の下縁部及び脇側縁部に沿うようにバージスラインに対応するテープ部３が取り付けられている。そして、テープ部３の下部にはテープ部３に沿うように基布部４が取り付けられている。カップ部２の裏側には、収容されたバストを寄せ集めてバストの形状を整える支持部５が取り付けられている。基布部４の左右両側には、バック部６が接続されており、カップ部２の脇側上部には肩ストラップ部７が接続されている。なお、図面では、理解を容易にするため、バック部６及び肩ストラップ部７の一部を省略している。
【００１１】
カップ部２は、上部片２ａ、中央側下部片２ｂ及び脇側下部片２ｃの３つの部材を縫着して全体として椀状となるように湾曲形成されており、３つの部材の接続する中央部分が最も深いトップ位置２ｄとなっている。各部材は、表側生地及び裏側生地の間に所定の厚さの柔軟性のある不織布を挿入して構成されており、肌触りがよく伸縮性のほとんどない素材が用いられている。
【００１２】
左右のカップ部２は、互いの上部片２ａの中央側が基布部４から延設された接続部に縫着されて一体化されている。そして、カップ部２の中央側下部片２ｂ及び脇側下部片２ｃの下縁部には、テープ部３を介してカップ部２と同様に伸縮性のほとんどない素材で構成された基布部４がそれぞれ左右両側に延設されるように縫着されている。
【００１３】
テープ部３は、カップ部２の中央側下部片２ｂ及び脇側下部片２ｃの下縁部や基布部４の上縁部等の布地を重ね合せて厚みのあるテープ状に形成されており、カップ部２の裏側においてカップ部２の下縁部から脇側縁部に沿ってバージスラインに対応する位置に配置されている。テープ部３は、布地を重ねることでカップ部２の縁部に盛り上がるように形成されている。ブラジャー１を着用した場合、盛り上がるように取り付けられたテープ部３が胸の表面に圧接されて容易にずれないように取り付けられ、バストを囲むように保持してバージスラインを形成・維持するように機能する。テープ部３を布地を重ねて構成することで、従来のバージスラインの変形を抑制するようなワイヤを挿着する場合に比べて圧迫感が小さくなって着用感を向上させることができる。布地を重ねてテープ部３を構成する場合テープ部３が変形しやすくなるが、後述する支持部５によりバストが支持されるため、テープ部３の変形による型崩れを抑止することが可能となる。
【００１４】
なお、テープ部３には、後述するカップ部２の着用時の変形が可能であれば、厚みのある不織布等を内蔵したソフトワイヤを用いることも可能であり、また柔軟性を有する金属製又は樹脂製のワイヤを挿着することもできる。
【００１５】
基布部４は、中央側からテープ部３に接続されて脇側に延設されており、織物からなる布地等の伸縮性のほとんどない素材が用いられている。そのため、着用時にテープ部３及びカップ部２を安定した状態に保持することができる。基布部４には、裏地にパイル地や編地等の柔らかい生地を用いて良好な肌触りを得るようにしてもよい。基布部４は、脇側においてバック部６と接続するようになっている。着用時には、バック部６が着用者の背中側に当接するとともに基布部４が胸側に当接してリング状に密着した状態となり、バック部６の引張力が主に基布部４に作用してブラジャー全体が安定した状態に保持される。そのため、カップ部２に対するバック部６の引張力の影響が小さくなり、後述するカップ部２の変形が容易に行えるようになる。
【００１６】
支持部５は、パワーネット等の伸縮性を有する所定幅の布地からなり、カップ部２の裏側においてカップ部２を横切るように取り付けられている。支持部５の中央側端部は、カップ部２の中央側縁部に沿って縫着され、支持部５の脇側端部は、テープ部３の脇側部分に沿って縫着されている。支持部５の上縁は、カップ部２を横切るように設定され、カップ部２の裏側から見た場合トップ位置２ｄとほぼ同じ位置かわずかに下方となるように設定されており、支持部５の下縁は、カップ部２の下部を横切るように設定されている。
【００１７】
支持部５は、カップ部２の中央側縁部とトップ位置２ｄとの間において中央側端部に沿って間隔を空けて設定された第一支持ラインである支持ライン５ａでカップ部２に縫着されている。また、支持部５は、脇側部分では、カップ部２の脇側縁部とトップ位置２ｄとの間の領域において、テープ部３に沿うように間隔を空けて設定された第二支持ラインである支持ライン５ｂでカップ部２に縫着されている。支持ライン５ｂは、さらに支持部５の下縁に沿ってテープ部３まで延設されており、支持部５の下縁を縫着するようになっている。また、支持部５は、支持ライン５ｂとテープ部３との間の領域には、支持ライン５ｂに沿うように間隔を空けて設定された複数本の補強ライン５ｃでカップ部２に縫着されている。糸を縫い付けて補強ライン５ｃを形成することで、カップ部２が支持ライン５ｂに沿うように裏側に向かって湾曲変形しやすくなる。
【００１８】
この例では、後述するように、支持部５は、支持ライン５ａ及び５ｂの間の領域において、張設して略平面状となるが、必要に応じてダーツ縫いや複数枚の布地の接ぎ合せ等により丸みを帯びた立体形状に形成することで、着用時に支持部５がバストに密着する際の着圧バランスを調整することができる。支持部５の支持ライン５ａ及び５ｂの間の領域を立体形状に形成する場合には、支持部５の湾曲形状をカップ部２の湾曲形状より浅い形状に形成しておき、着用状態において支持部５が引き伸ばされてカップ部２に密着するように設定する。
【００１９】
図３は、立体形状に形成した支持部５を取り付けたカップ部２の裏側から見た図である。図３（ａ）では、支持部５の支持ライン５ａ及び５ｂの間の領域において、支持部５の下縁からカップ部２のトップ位置２ｄに向かって１本のダーツ縫いＤを施しており、支持部５の中央部分がカップ部２側に向かって膨らむように湾曲形状に形成されている。図３（ｂ）では、支持部５の下縁からカップ部２のトップ位置２ｄに向かってダーツ縫いＤ１を施すとともに、カップ部２の脇側からトップ位置２ｄに向かってダーツ縫いＤ２を施しており、支持部５の中央部分からカップ部２の脇側部分にかけて湾曲形状に形成されている。図３（ｃ）では、支持部５の下縁からカップ部２のトップ位置２ｄに向かってダーツ縫いＤ１を施すとともに、カップ部２の中央側からトップ位置２ｄに向かってダーツ縫いＤ２を施しており、支持部５の中央部分からカップ部２の中央側部分にかけて湾曲形状に形成されている。また、図３（ｄ）では、支持部５を、カップ部２と同様に、３枚の布片Ｅ１〜Ｅ３を接続線Ｆ１及びＦ２で接ぎ合せて全体を立体形状に形成している。図３（ｅ）では、２枚の布片Ｅ１及びＥ２を接続線Ｆで接ぎ合せて立体形状に形成している。
【００２０】
このように、カップ部２の立体形状を変更することなく、着用時の支持部５の着圧バランスに応じて支持部５を立体形状に形成して着圧バランスをきめ細かく調整することができ、カップ部２による美しいバストシルエットを保ちながら良好な着用感を得られるようにすることが可能となる。
【００２１】
バック部６は、縦横に伸縮性を有する布地を帯状に形成して構成されている。使用される布地としては、例えば、伸縮性を有するようにナイロン繊維等の合成繊維からなる糸を用いて経編又は緯編により編成された公知の編地を裁断して用いればよい。バック部６は、伸縮性のほとんどない基布部４と接続する部分には布地を二重にし、脇から背中の回りの密着する部分には布地を一重にすることもできる。基布部４と接続する部分では、布地を二重にすることで弾性力を高めることができ、基布部４を脇側に引張る力を高めることが可能となる。そして、脇から背中回りの部分については、一重にすることで伸縮性が大きくなって肌に圧接する力が分散され、長時間着用していても過度に圧迫されることがなくなるといった効果が得られる。
【００２２】
肩ストラップ部７は、伸縮性を有する帯状の布地からなり、前側の端部をカップ部２の脇側上部に縫着して接続し、後側の端部をバック部６の背中側に縫着により接続しており、前側と後側に架け渡すように取り付けられている。着用時には、肩ストラップ部７は、着用者に肩部に掛けられてカップ部２を引き上げるように作用し、カップ部２を安定した状態に保持する。
【００２３】
図４は、図２のＡ−Ａ断面図である。支持部５は、支持ライン５ａ及び５ｂの間では、カップ部２との間に間隔を形成するように張設されており、支持ライン５ａ及び５ｂの間に生じる伸縮力により緊張した状態に設定されている。支持部５の上縁は、支持ライン５ａ及び５ｂの間では、カップ部２との間が縫着されておらず、開口した状態となっている。また、支持部５は、支持ライン５ａとカップ部２の中央側縁部との間では、カップ部２と当接するように張設した状態に設定されており、支持ライン５ｂとテープ部３との間では、複数本の補強ライン５ｃにより縫着されてカップ部２に当接するように張設した状態に設定されている。
【００２４】
図５は、カップ部２を着用した状態を示す断面図である。カップ部２内にバストＢが収容された場合に、支持部５の支持ライン５ａ及び５ｂの間の張設された部分がバストＢによりカップ部２内に押し込まれてカップ部２の内面に当接するように引き伸ばされる。そのため、支持部５は、支持ライン５ａ及び５ｂに沿ってトップ位置２ｄに向かう伸縮力が大きくなり、支持ライン５ａとカップ部２の中央側縁部との間の部分及び支持ライン５ｂとテープ部３との間の部分を引き寄せるように作用する。それに伴い、カップ部２の中央側縁部から支持ライン５ａの縫着位置までの部分が引き寄せられて面状に湾曲変形するようになる。また、カップ部２のテープ部３から支持ライン５ｂの縫着位置までの部分についても、補強ライン５ｃにより縫着されているため全体が引き寄せられて面状に湾曲変形するようになる。その際に、支持部５の下縁における支持ライン５ｂの縫着位置においてもトップ位置２ｄに向かうように引き寄せる力が作用するようになる。なお、この例では、補強ライン５ｃを複数本設定しているが、テープ部３から支持ライン５ｂの縫着位置までの部分が面状に湾曲変形可能であれば、補強ライン５ｃを１本としてもよく、設けないようにすることもできる。
【００２５】
カップ部２の中央側及び脇側における面状の湾曲変形及び下側における引き寄せる力により、バストＢの周辺部分がトップ位置２ｄに向かうように寄せ集められ、バストＢが全体として持ち上げられて着用者の前側に突き出すように整形される。そのため、着用した際にバストＢの脇側の引き締め効果によりすっきりした形状となり、トップ位置２ｄも高くなるように設定することができる。また、支持部５の上縁よりも上側のカップ部２の部分は、支持部５の伸縮力により引き寄せられて湾曲することで造形的に変化し、ボリューム感を向上させることができる。こうして、カップ部２の変形による造形的な変化が美しいバストシルエットを表出するようになる。
【００２６】
また、バストＢの周辺部を寄せ集めるようにカップ部を湾曲変形させるので、加齢とともに変化したバストの場合でもカップ部を造形的に変化させて収容することで、無理のない自然な補整を行うことができ、幅広い世代にわたって良好な着用感が得られるようになる。
【００２７】
テープ部３は、従来のような硬質のワイヤではなく柔軟性を有し肌触りの柔らかい素材で形成されているため、着用感が良好で美しいバージスラインを形成することができる。しかしながら、こうしたテープ部３は、従来のワイヤのような弾性を有しておらず変形しやすく、長時間着用すると型崩れが生じやすい、といった欠点があるが、上述したように、カップ部２に対して支持ライン及び補強ラインにより縫着された支持部５が着用時にバストＢを支持するようになるため、型崩れが抑止されて美しいバストシルエットを保つことが可能となる。
【００２８】
図６は、本発明に係る別の実施形態に関するカップ部の表側から見た図であり、図７は、カップ部の裏側から見た図である。なお、図１及び図２に示す上記実施形態と同一番号を付したものは、同一のものを示しており、詳細な説明は省略する。
【００２９】
この例では、カップ部２の脇側に、上部片２ａ及び脇側下部片２ｃの縁部を縁縫いにより補強部２ｅが形成されており、補強部２ｅは、カップ部２の下縁部の中央側下部片２ｂと脇側下部片２ｃとの接続部分においてテープ部３と接合するように形成されている。そして、補強部２ｅとテープ部３との間に伸縮性を有する素材からなる調整部８が架け渡されるように取り付けられており、調整部８の幅は、脇側に行くに従い次第に拡大するように設定されている。
【００３０】
調整部８は、パワーネット等の伸縮性を有する布地を切断して補強部２ｅとテープ部３との間に取り付けることで形成されており、着用時のカップ部２の変形に伴って伸縮可能な程度の伸縮性を有している。
【００３１】
支持部５は、カップ部２及び調整部８を横切るように架け渡されており、補強部２ｅに当接する部分において補強ライン５ｃにより縫着されている。そして、着用時において、カップ部２の中央側縁部から支持ライン５ａの縫着位置までの部分が引き寄せられて面状に湾曲変形するようになり、カップ部２の補強部２ｅから支持ライン５ｂの縫着位置までの部分についても、補強ライン５ｃにより縫着されているため全体が引き寄せられて面状に湾曲変形するようになる。そのため、図５で説明した作用効果と同様の作用効果を発揮するようになる。その際に、調整部８において伸縮可能となっているため、着用時においてバストサイズによりバージスラインであるテープ部３が無理なく変形して良好な着用感が得られるとともに美しいバストシルエットを表出することができる。
【００３２】
図８は、図６及び図７に示す別の実施形態の変形例に関するカップ部の裏側から見た図である。この例では、支持部５’は、脇側の縁部が第二支持ラインである支持ライン５ｂ’に沿うように形成されている。そして、カップ部２には、支持ライン５ｂ’に沿うように補強部が形成されている。補強部は、カップ部２に支持ライン５ｂ’に沿うように切り込みを形成した後切り込みを縫い付けて形成することができる。また、カップ部２を形成する際に、支持ライン５ｂ’に沿うように複数の布片を接ぎ合せて縫着して補強部を形成するようにしてもよい。そして、支持ライン５ｂ’と補強部２ｅとの間には、支持ライン５ｂ’に沿うようにカップ部２に糸を縫い付けて補強ライン５ｃ’を形成する。補強ライン５ｃ’を形成することで、支持ライン５ｂ’と補強部２ｅとの間のカップ部２の領域が裏側に湾曲するように丸みを帯びた形状に形成されて湾曲変形しやすくなる。
【００３３】
そして、着用時において、カップ部２の中央側縁部から支持ライン５ａ’の縫着位置までの部分が引き寄せられて面状に湾曲変形するようになり、カップ部２の補強部２ｅから支持ライン５ｂ’の縫着位置までの湾曲変形した部分全体が引き寄せられて、図６及び図７に示す例と同様の作用効果を発揮するようになる。
【００３４】
以上説明した例では、衣類としてブラジャーを例に説明したが、本発明に係る衣類としては、ブラスリップ、ブラキャミソール等のカップ部を有するインナーウェア、水着、レオタード等のカップ部を有するアウターウェア、アウターウェアのうち内面のバスト部分にカップ部が設けられている衣類が挙げられる。こうした衣類では、調整部及び支持部を取り付けたカップ部とともに、テープ部を取り付けた基布部を適用することで本発明に係る衣類を実現することができる。
【符号の説明】
【００３５】
１・・・ブラジャー、２・・・カップ部、３・・・テープ部、４・・・基布部、５・・・支持部、５ａ・・・第一支持ライン、５ｂ・・・第二支持ライン、５ｃ・・・補強ライン、６・・・バック部、７・・・肩ストラップ部、８・・・調整部
【図１】
2015098657.tif 000003
【図２】
2015098657.tif 000004
【図３】
2015098657.tif 000005
【図４】
2015098657.tif 000006
【図５】
2015098657.tif 000007
【図６】
2015098657.tif 000008
【図７】
2015098657.tif 000009
【図８】
2015098657.tif 000010